(57)【特許請求の範囲】
【請求項１】
隣接する構造物間の目地の前部に差し渡される左右一対のホルダーの、その少なくとも一方のホルダーを、目地側傍に配設した摺動支持体によって目地幅方向に進退可能に支持し、かつ、該ホルダーを付勢手段により目地側へ付勢するとともに、目地の奥方に向けて延出する屈曲側縁を内端に備えるカバー板を、前記両ホルダーに夫々被着して、その左右のカバー板の両屈曲側縁相互を前記ホルダーの付勢作用を介して摺動可能に弾接させたことを特徴とする目地カバー装置。
【請求項２】
前記付勢手段を、一端が摺動支持体に係止され、他端がホルダーの外端部に係止される引張バネにより構成したことを特徴とする請求項１に記載した目地カバー装置。
【請求項３】
前記カバー板の外端に、前記ホルダーの外端部に係止可能な係止縁を形成する一方、前記ホルダーの内端に、前記カバー板の装着時に該カバー板の屈曲側縁を目地の奥方に案内する傾斜面を設けたことを特徴とする請求項１に記載した目地カバー装置。
【発明の詳細な説明】
【０００１】
【発明の属する技術分野】
本発明は、隣接する構造物間の目地を覆う目地カバー装置に関する。
【０００２】
【従来の技術】
図１３に、目地ｓを介して隣接する構造物としての天井壁板ｘ，ｘ間に適用される従来の目地カバー装置を示す。この目地カバー装置は、目地ｓの前部に差し渡される複数のホルダーａを目地ｓに沿って所定間隔で並設し、各ホルダーａを支持する螺子杆ｂを、天井壁板ｘ，ｘの裏面の梁材ｃ，ｃ上に横架されている長尺状保持杆ｄに挿通するとともに、該螺子杆ｂに螺着したナットｅと、長尺状保持杆ｄとの間にバネｆを圧縮状態で介装し、該バネｆによって螺子杆ｂを上方付勢することにより、各ホルダーａの両端を、天井壁板ｘ，ｘに弾接させている。そして、各ホルダーａに亘ってカバー板ｇを被着することにより、該カバー板ｇによって目地ｓを被覆するようにしている。
【０００３】
【発明が解決しようとする課題】
このような従来の目地カバー装置にあっては、地震時に、隣接する天井壁板ｘ，ｘが上下方向に相対変位すると、図１４に示すように、カバー板ｇが傾斜してその相対変位に追従するのであるが、単一のカバー板ｇが螺子杆ｂで支持されたホルダーａとともに傾斜するものであるため、その追従量が小さく、また、天井壁板ｘ，ｘが大きく相対変位すると、カバー板ｇの両端と天井壁板ｘ，ｘとの間に隙間ｈが生じる等の問題点があった。
【０００４】
本発明は、かかる従来の問題点を解消し得る目地カバー装置の提供を目的とするものである。
【０００５】
【課題を解決するための手段】
本発明は、隣接する構造物間の目地の前部に差し渡される左右一対のホルダーの、その少なくとも一方のホルダーを、目地側傍に配設した摺動支持体によって目地幅方向に進退可能に支持し、かつ、該ホルダーを付勢手段により目地側へ付勢するとともに、目地の奥方に向けて延出する屈曲側縁を内端に備えるカバー板を、前記両ホルダーに夫々被着して、その左右のカバー板の両屈曲側縁相互を前記ホルダーの付勢作用を介して摺動可能に弾接させたことを特徴とする目地カバー装置である。
【０００６】
かかる構成にあって、目地カバー装置は、目地を介して隣接する構造物としての天井壁板間や内壁間に適用することができる。そして、天井壁板間に適用した場合には、地震時において、隣接する天井壁板が上下方向に相対変位すると、ホルダーが付勢手段によって目地側へ付勢されていることにより、左右のカバー板の屈曲側縁相互が弾接状態を維持したまま、上下方向に摺動してその相対変位に追従する。また、内壁間に適用した場合には、隣接する内壁が前後方向に相対変位すると、上記と同様にホルダーが目地側へ付勢されていることにより、左右のカバー板の屈曲側縁相互が弾接状態を維持したまま、前後方向に相対的に摺動してその相対変位に追従する。
【０００７】
ここで、前記付勢手段としては、一端が摺動支持体に係止され、他端がホルダーの外端部に係止される引張バネにより構成したものが好適な実施態様として提案され得る。
【０００８】
さらに、前記構成において、カバー板の外端に、ホルダーの外端部に係止可能な係止縁を形成する一方、該ホルダーの内端に、前記カバー板の装着時に該カバー板の屈曲側縁を目地の奥方に案内する傾斜面を設ける構成が提案され得る。この構成にあっては、施工時において、ホルダーへのカバー板の装着時に、カバー板の外端の係止縁をホルダーの外端に係止した状態で、カバー板の内端の屈曲側縁を、前記傾斜面の案内作用を介して、目地の奥方に押込むことができる。これにより、目地に沿って配設される複数のホルダーに対するカバー板の装着を容易に行うことができる。
【０００９】
【発明の実施の形態】
以下に、本発明の第一の実施例を、図１〜図６について説明する。この実施例は、隣接する構造物としての天井壁板ｘ，ｘ間の目地ｓに、本発明にかかる目地カバー装置を適用したものである。
【００１０】
図面において、１Ａ，１Ｂは、左右一対で目地ｓの前部に差し渡されるホルダーであって、図示省略するが、複数対のホルダー１Ａ，１Ｂが目地ｓに沿って所定間隔で並設される。該ホルダー１Ａ，１Ｂは、図３に示すように、夫々断面略コ字形の長尺型材からなり、その両側に摺動縁２，２を備えている。また、目地ｓの側傍には、天井壁板ｘ，ｘの下面に摺動支持体３，３が左右一対で配設されている。該摺動支持体３，３は、前記ホルダー１Ａ，１Ｂの各摺動縁２，２を摺動可能に係合し得る目地幅方向の摺動受溝４，４を両側に夫々備え、かつ、該摺動受溝４，４の上部から両側方に延成された取付片部５，５を夫々備えており、各取付片部５，５を螺子６，６によって天井壁板ｘに固着することにより、両摺動支持体３，３を天井壁板ｘ，ｘの下面に夫々取付けるようにしている。そして、この両摺動支持体３，３の各摺動受溝４，４に、前記摺動縁２，２を係合させることにより、ホルダー１Ａ，１Ｂが目地幅方向に夫々進退可能に支持されている。
【００１１】
また、前記ホルダー１Ａ，１Ｂは両端が夫々開口しており、その外端には、連係突部７を端部に備えた連係片８ａが夫々嵌着されている。各連係片８ａは、天井壁板ｘの下面に摺接する摺接突部９が裏面に上方突成され、かつ、該摺接突部９の内方部に係止爪部１０が形成されており、該係止爪部１０を前記ホルダー１Ａ，１Ｂの外端の開口に嵌入することにより、連係片８ａをホルダー１Ａ，１Ｂに夫々固着するようにしている。また、各連係片８ａの摺接突部９には、後述の引張バネ１５の一端を係止するバネ受縁１１が内方に向けて突成されている。
【００１２】
一方、前記ホルダー１Ａ，１Ｂの内端には、目地ｓ内に突出する保持突部１２を備えた連係片８ｂが夫々嵌着されている。各連係片８ｂは、前記保持突部１２の内方部に係止爪部１３が形成されており、該係止爪部１３をホルダー１Ａ，１Ｂの内端の開口に嵌入することにより、連係片８ｂをホルダー１Ａ，１Ｂに夫々固着するようにしている。また、各連係片８ｂには、前記保持突部１２の外側面に、前部から後部外方に向けて傾斜する傾斜面１４が夫々設けられている。
【００１３】
前記ホルダー１Ａ，１Ｂは、付勢手段によって目地ｓ側へ夫々付勢される。即ち、ホルダー１Ａ，１Ｂの外端部と、各ホルダー１Ａ，１Ｂを支持する摺動支持体３，３間に引張バネ１５，１５が引張状態で付装されている。各引張バネ１５は、その一端が摺動支持体３，３に形成された係止孔１６に夫々係止され、他端が前記連係片８ａ，８ａの各バネ受縁１１に形成された係止孔１７に夫々係止されており、各引張バネ１５の引張力を介してホルダー１Ａ，１Ｂを目地ｓ側に夫々付勢するようにしている。これにより、ホルダー１Ａ，１Ｂを目地側へ付勢する付勢手段が構成されている。
【００１４】
前記ホルダー１Ａ，１Ｂには、断面略Ｌ形のカバー板１８Ａ，１８Ｂが左右一対で被着される。各カバー板１８Ａ，１８Ｂは、その被着状態で、目地ｓの奥方に向けて延出する屈曲側縁１９を内端に備え、また、外端にはホルダー１Ａ，１Ｂの外端部に係止されるコ字状に曲成された係止縁２０を備えている。
【００１５】
このカバー板１８Ａ，１８Ｂの装着操作について説明すると、まず、図５イに示すように、一方のカバー板１８Ａの係止縁２０をホルダー１Ａの外端部に設けられている連係突部７に側方から係合する。次に、図５ロに示すように、内端の屈曲側縁１９を、ホルダー１Ａ，１Ｂの内端部の保持突部１２，１２間に押込むと、付勢手段の付勢作用により弾接している保持突部１２，１２が該付勢作用に抗して押し広げられる。そしてそのまま、図５ハに示すように、カバー板１８Ａがホルダー１Ａの前面に当接するまで、屈曲側縁１９を目地ｓ内に押込む。
【００１６】
ここで、保持突部１２の外側面に傾斜面１４が夫々設けられていることにより、前記屈曲側縁１９の押込み時に、傾斜面１４の案内作用を介して屈曲側縁１９の押込み操作を容易に行うことができる。これにより、目地ｓに沿って配設されている複数のホルダー１Ａに対して、断面略Ｌ形に形成された長尺なカバー板１８Ａの取付けをワンタッチで極めて簡単に行うことができる。然る後、カバー板１８Ａの前面からホルダー１Ａに螺子２１を螺着することにより、カバー板１８Ａを固定する。この装着状態にあって、屈曲側縁１９は、その裏面が保持突部１２によって支持されることとなる。また、カバー板１８Ｂの装着操作も上記と同様に行うことができる。
【００１７】
そして、このように、カバー板１８Ａ，１８Ｂをホルダー１Ａ，１Ｂに被着することにより、図１に示すように、カバー板１８Ａ，１８Ｂによって目地ｓが覆われ、両カバー板１８Ａ，１８Ｂの屈曲側縁１９，１９相互がホルダー１Ａ，１Ｂによる付勢作用を介して摺動可能に弾接されることとなる。
【００１８】
かかる構成にあって、地震時に、隣接する天井壁板ｘ，ｘが上下方向に相対変位すると、ホルダー１Ａ，１Ｂが付勢手段によって目地ｓ側へ付勢されていることにより、図６に示すように、左右のカバー板１８Ａ，１８Ｂの屈曲側縁１９，１９相互がその弾接状態を維持したまま、上下方向に摺動してその相対変位に追従する。ここで、その追従量は、目地ｓの奥方に延出された屈曲側縁１９，１９に略対応する幅となるため、従来構成のものに比して大きな追従量とすることができる。また、左右のカバー板１８Ａ，１８Ｂが、隣接する天井壁板ｘ，ｘにホルダー１Ａ，１Ｂを介して夫々独立的に支持されており、従来構成のように相対変位に追従して傾斜するものではないため、カバー板１８Ａ，１８Ｂと天井壁板ｘ，ｘとの間に隙間が生じることがない。
【００１９】
また、隣接する天井壁板ｘ，ｘが左右方向（目地幅方向）に相対変位すると、ホルダー１Ａ，１Ｂの進退作用を介して、左右のカバー板１８Ａ，１８Ｂがその屈曲側縁１９，１９相互の弾接状態を維持したまま左右方向に相対的に移動して、その相対変位に追従する。ここで、図８は、第一実施例の目地カバー装置を内壁ｙ，ｙ間の目地ｓに適用した場合の作用状態を示すものであるが、図８イ，ロが上記の作動に相当するものである。さらに、隣接する天井壁板ｘ，ｘが前後方向（目地に沿う方向）に相対変位すると、左右のカバー板１８Ａ，１８Ｂの屈曲側縁１９，１９相互が弾接状態を維持したまま、前後方向に相対的に摺動してその相対変位に追従する。この作動は、図８ニに示す作動に相当するものである。これにより、天井壁板ｘ，ｘの上下，左右及び前後方向の各相対変位に、左右のカバー板１８Ａ，１８Ｂが支障なく追従し、目地ｓを覆うことができる。
【００２０】
図７は、第一実施例の目地カバー装置を、隣接する構造物としての内壁ｙ，ｙ間の目地ｓに適用したものであり、摺動支持体３，３を固定するための螺子６，６が、内壁ｙ，ｙに埋入されたフィッシャープラグ２２，２２に螺着されている点と、左右のカバー板１８Ａ，１８Ｂが上下方向に延在するように配設される点以外は、第一実施例と同一構成であり、同一部分に同一符号を付して重複する説明を省略する。
【００２１】
かかる構成にあっては、隣接する内壁ｙ，ｙが前後方向に相対変位すると、図８ハに示すように、左右のカバー板１８Ａ，１８Ｂの屈曲側縁１９，１９相互が弾接状態を維持したまま前後方向に摺動して、その相対変位に追従する。また、隣接する内壁ｙ，ｙが左右方向に相対変位すると、ホルダー１Ａ，１Ｂの進退作用を介して、図８イ，ロに示すように、左右のカバー板１８Ａ，１８Ｂがその屈曲側縁１９，１９相互の弾接状態を維持したまま左右方向に相対的に移動して、その相対変位に追従する。さらに、内壁ｙ，ｙの上下方向の相対変位に対しては、図８ニに示すように、左右のカバー板１８Ａ，１８Ｂの屈曲側縁１９，１９相互が弾接状態を維持したまま上下方向に摺動して、その相対変位に追従することとなる。
【００２２】
図９〜図１１は、第二の実施例を示し、この実施例は、左右一対で目地ｓの前部に差し渡されるホルダー１Ａ，１Ｂのうち、その一方のホルダー１Ｂのみを摺動支持体３によって目地幅方向に進退可能に支持し、他方のホルダー１Ａを天井壁板ｘに直接固定したものである。ここで、ホルダー１Ａは、図１１に示すように、上部に矩形状の取付片部５’を備え、かつ、該取付片部５’の下部両側にコ字状曲成片部２３，２３を備えた断面形状の長尺型材からなり、前記取付片部５’を螺子６，６によって天井壁板ｘに固着することによって、ホルダー１Ａが天井壁板ｘの下面に取付けられている。また、該ホルダー１Ａの外端には、前記コ字状曲成片部２３，２３内に係止爪部１０を嵌入することにより、連係片８ａが固着されており、さらに、ホルダー１Ａの内端には、コ字状曲成片部２３，２３内に係止爪部１３を嵌入することにより、連係片８ｂが固着されている。その他の構成は、第一実施例と同一であり、同一部分に同一符号を付して重複する説明を省略する。
【００２３】
かかる構成にあっては、隣接する天井壁板ｘ，ｘの上下方向及び前後方向の相対変位に対して、左右のカバー板１８Ａ，１８Ｂが、上記第一実施例のものと同様に作動し、その相対変位に追従する。また、天井壁板ｘ，ｘの左右方向の相対変位に対しては、ホルダー１Ｂの進退作用を介して、カバー板１８Ｂが屈曲側縁１９，１９相互の弾接状態を維持したまま左右方向に相対的に移動して、その相対変位に追従する。ここでその左右方向の追従量は、カバー板１８Ｂの左右方向の移動幅となり、第一実施例のものに比して半分となるが、追従量を大きくしたい場合には、ホルダー１Ｂ及びカバー板１８Ｂの横幅を大きく設定すれば、これに対応することができる。
【００２４】
図１２は、天井壁板ｘ，ｘと、内壁ｙ，ｙとのコーナー部の目地ｓに、本発明にかかる目地カバー装置を適用したものであり、左右のカバー板１８Ａ’，１８Ｂ’をＬ形に曲成して、コーナー部の目地ｓを覆い得るようにしている。本発明にかかる目地カバー装置は、このような使用態様も可能であり、コーナー部の収まりを簡素化することができる。
【００２５】
【発明の効果】
本発明は、上述したように、隣接する構造物間の目地の前部に差し渡される左右一対のホルダーの、その少なくとも一方のホルダーを、目地側傍に配設した摺動支持体によって目地幅方向に進退可能に支持し、かつ、該ホルダーを付勢手段により目地側へ付勢するとともに、目地の奥方に向けて延出する屈曲側縁を内端に備えるカバー板を、前記両ホルダーに夫々被着して、その左右のカバー板の両屈曲側縁相互を前記ホルダーの付勢作用を介して摺動可能に弾接させてなり、隣接する構造物が、目地の奥方に沿う方向に相対変位した場合に、左右のカバー板の屈曲側縁相互がその弾接状態を維持したまま摺動してその相対変位に追従するようにしたものであるから、その追従量が、目地の奥方に延出された屈曲側縁に略対応する幅となり、従来構成のものに比して大きな追従量とすることができる。また、左右のカバー板が、隣接する構造物にホルダーを介して夫々独立的に支持されており、従来構成のように相対変位に追従して傾斜するものではないため、カバー板と構造物との間に隙間が生じることがない等の優れた効果がある。
【００２６】
また、カバー板の外端に、ホルダーの外端部に係止可能な係止縁を形成する一方、該ホルダーの内端に、前記カバー板の装着時に該カバー板の屈曲側縁を目地の奥方に案内する傾斜面を設けることにより、施工時において、ホルダーへのカバー板の装着時に、カバー板の外端の係止縁をホルダーの外端に係止した状態で、カバー板の内端の屈曲側縁を、前記傾斜面の案内作用を介して、目地の奥方に押込むことができ、目地に沿って配設される複数のホルダーに対するカバー板の装着を容易に行うことができる。
【図面の簡単な説明】
【図１】本発明にかかる目地カバー装置の第一実施例の縦断面図（図２におけるＡーＡ断面図）である。
【図２】同上の平面図である。
【図３】同上の側断面図である。
【図４】図２におけるＢーＢ断面図である。
【図５】カバー板の装着手順を示す説明図である。
【図６】第一実施例の作動状態を示す縦断面図である。
【図７】第一実施例の目地カバー装置を内壁間の目地に適用した状態を示す縦断面図である。
【図８】同上の作動状態の説明図である。
【図９】第二実施例の縦断面図（図１０におけるＣーＣ断面図）である。
【図１０】同上の平面図である。
【図１１】同上のホルダー１Ａの側面図である。
【図１２】本発明にかかる目地カバー装置を天井壁板と、内壁とのコーナー部の目地に適用した状態を示す斜視図である。
【図１３】従来構成に係る目地カバー装置の縦断面図である。
【図１４】同上の作動状態を示す縦断面図である。
【符号の説明】
ｓ  目地
ｘ  天井壁板（構造物）
ｙ  内壁（構造物）
１Ａ，１Ｂ  ホルダー
３  摺動支持体
１４  傾斜面
１５  引張バネ（付勢手段）
１８Ａ，１８Ｂ  カバー板
１９  屈曲側縁
２０  係止縁
【図１】
0003984371.tif 000002
【図２】
0003984371.tif 000003
【図３】
0003984371.tif 000004
【図４】
0003984371.tif 000005
【図５】
0003984371.tif 000006
【図６】
0003984371.tif 000007
【図７】
0003984371.tif 000008
【図８】
0003984371.tif 000009
【図９】
0003984371.tif 000010
【図１０】
0003984371.tif 000011
【図１１】
0003984371.tif 000012
【図１２】
0003984371.tif 000013
【図１３】
0003984371.tif 000014
【図１４】
0003984371.tif 000015